(57)【要約】  吹出し口（６）に備えた風向案内装置（Ｆ）は、熱交換空気の上下方吹出し方向を制御する上下風向ルーバ（７Ａ）と、上下風向ルーバ（７Ａ）に取付けられ熱交換空気の左右吹出し方向を制御する左右風向ルーバ（７Ｂ）を備え、左右風向ルーバ（７Ｂ）は奥行き方向の長さが垂直方向の長さよりも長く、上下風向ルーバ（７Ａ）の奥行き方向長さと同等以上に形成され、上下風向ルーバ（７Ａ）を略水平姿勢とするとともに、上下風向ルーバ（７Ａ）の上面側に左右風向ルーバ（７Ｂ）を位置して水平吹出し案内をなし、上下風向ルーバ（７Ａ）を略垂直姿勢とし、上下風向ルーバ（７Ａ）の裏面側に左右風向ルーバ（７Ｂ）を位置して下方吹出し案内をなすことで、冷房運転時の水平吹出し案内と、暖房運転時の下方吹出し案内との切換えを確実で効率よく行い風向案内特性の向上をなし、熱交換空気の円滑な流通を可能とする。
2010021383.tif 000002
【特許請求の範囲】
【請求項１】
吸込み口及び吹出し口が開口され、内部に前記吸込み口と吹出し口とを連通する通風路を備え、この通風路中に熱交換器及び送風機が配置され、前記吹出し口に風向案内装置が設置される空気調和機の室内機において、
上記風向案内装置は、
奥行き方向に対して左右幅方向が長い横長形状の平板からなり、回動駆動されることにより上記吹出し口から吹出される熱交換空気の上下方向を制御する１枚の上下風向ルーバと、
この上下風向ルーバに取付けられ、回動駆動されることにより上記吹出し口から吹出される熱交換空気の左右方向を制御する複数枚の左右風向ルーバとを備え、
上記左右風向ルーバは、奥行き方向の長さが、この奥行き方向とは直交する垂直方向の長さよりも長く形成されるとともに、上記上下風向ルーバの奥行き方向長さと同等もしくは、それ以上に形成され、
前記上下風向ルーバを略水平姿勢とするとともに、この上下風向ルーバの上面側に前記左右風向ルーバを位置して水平吹出し案内をなし、
前記上下風向ルーバを略垂直姿勢とするとともに、この上下風向ルーバの裏面側に左右風向ルーバを位置して下方吹出し案内をなすように構成される
ことを特徴とする空気調和機の室内機。
【請求項２】
吸込み口及び吹出し口が開口され、内部に前記吸込み口と吹出し口とを連通する通風路を備え、この通風路中に熱交換器及び送風機が配置され、前記吹出し口に風向案内装置が設置される空気調和機の室内機において、
上記風向案内装置は、
奥行き方向に対して左右幅方向が長い横長形状の平板からなり、回動駆動されることにより上記吹出し口から吹出される熱交換空気の上下方向を制御する、回動中心側に湾曲成される１枚の上下風向ルーバと、
この上下風向ルーバの回動中心側に取付けられるとともに、それぞれが連結杆を介して連結され、一斉に回動駆動されることにより吹出し口から吹出される熱交換空気の左右方向を制御する複数枚の左右風向ルーバとを備え、
上記左右風向ルーバは、それぞれの奥行き方向の長さが、この奥行き方向とは直交する垂直方向の長さよりも長く形成されるとともに、上記上下風向ルーバの奥行き方向長さと同等もしくは、それ以上に形成され、
前記上下風向ルーバを略水平姿勢とするとともに、この上下風向ルーバの上面側に前記左右風向ルーバを位置して水平吹出し案内をなし、
前記上下風向ルーバを略垂直姿勢とするとともに、この上下風向ルーバの裏面側に左右風向ルーバを位置して下方吹出し案内をなすように構成される
ことを特徴とする空気調和機の室内機。
【請求項３】
上記上下風向ルーバに連結される駆動源は、上記吹出し口の一側部に設けられ、
上記複数枚の左右風向ルーバに連結される連結杆は、上記上下風向ルーバの奥行き方向の略中間部に沿って設けられ、さらに前記連結杆は、上記吹出し口の一側部及び／もしくは他側部に設けられる駆動源と連結される
ことを特徴とする請求項１及び請求項２のいずれかに記載の空気調和機の室内機。
【請求項４】
吸込み口及び吹出し口が開口され、内部に前記吸込み口と吹出し口とを連通する通風路を備え、この通風路中に熱交換器及び送風機を配置し、前記吹出し口に風向案内装置が設置される空気調和機の室内機において、
上記風向案内装置は、
上記吹出し口を開閉するとともに、吹出し口から吹出される熱交換空気の上下方向を制御する１枚の上下風向ルーバと、
前記上下風向ルーバの一側面に取付けられ、上記吹出し口から吹出される熱交換空気の左右方向を制御する複数枚の左右風向ルーバとを備え、
冷房運転時に、上記吹出し口を閉成する位置から上下風向ルーバを所定方向に回動駆動して略水平姿勢とするとともに、この上下風向ルーバの上面に前記左右風向ルーバを位置して水平吹出し案内をなし、
暖房運転時に、冷房運転時における水平吹出し姿勢から、さらに上下風向ルーバを所定方向に回動駆動し、水平吹出し姿勢時の奥側端部を先端部とし、先端部を奥側端部に反転して下方吹出し案内をなすように構成される
ことを特徴とする空気調和機の室内機。
【請求項５】
上記左右風向板は、この前縁部または後縁部に、流線状の複数本の案内用突条を備えた
ことを特徴とする請求項１ないし請求項４のいずれかに空気調和機の室内機。
【発明の詳細な説明】
【技術分野】
【０００１】
本発明は、空気調和機の室内機に係り、特に吹出し口に設けられ、熱交換空気を室内へ吹出し案内する風向案内装置の改良に関する。
【背景技術】
【０００２】
室内機と室外機とから構成される空気調和機において、室内機には得られた冷気等の熱交換空気を室内へ吹出し案内する風向案内装置が備えられている。この種の風向案内装置は、室内機本体の吹出し口に設けられる左右風向ルーバと、上下風向ルーバと、これら左右、上下それぞれの風向ルーバを駆動する駆動源と駆動機構とからなる。【０００３】
一般的には、特開平５−５２３８６号公報に開示されるように、送風機の下流側に形成される吹出し通風路に、左右風向ルーバが設置され、この吹出し通風路の先端である吹出し口に上下風向ルーバが設置される。そのうえで、この発明の特徴は、上下風向ルーバを主風向板と副風向板に分割して、暖房運転時に機能させることにある。【０００４】
上述の技術では、上下風向ルーバを通風路先端の吹出し口に備えることにより、吹出し口から吹出される熱交換空気の上下方向の風向制御幅は比較的広角に行われる。これに対して、左右風向ルーバは室内機本体内部である吹出し通風路の中途部に備えられるので、熱交換空気の左右方向の風向制御幅は極く狭いものとなっている。【０００５】
近年の住宅は、リビング、ダイニング、キッチン等、続き間の大部屋化が進んでおり、上下方向ばかりか左右方向への風向特性の向上が求められるが、上記技術では左右方向の風向調整幅が狭く広角な風向案内ができない。また、左右方向の風向を変更した後に上下方向の風向を変更するので、風向変更時のロスが２回発生し風量損失が無視できない。【０００６】
特開２００６−３００４６０号公報には、吹出し口に上下風向ルーバ（上下風向板）を回動可能に設け、この上下方向ルーバに左右風向ルーバ（左右風向板）を回動可能に設け、左右風向板を駆動する駆動装置を吹出し口の一側部に設けられた駆動モータと、この駆動モータと左右風向ルーバとを連係する連係手段で構成した空気調和機が開示されている。
【発明の開示】
【０００７】
上記特開２００６−３００４６０号公報の技術によれば、上下方向ばかりでなく、左右方向の風向調整幅が広くとれ、広角な風向案内ができる。左右方向の風向案内と上下方向の風向案内とを同時に行うため、風向変更時のロスが１度ですみ、風量損失の低下を防止する。
【０００８】
ただし、ここには冷房運転時における冷気の吹出し案内と、暖房運転時における暖気の吹出し案内についての説明がない。同文献の図１には、上下風向ルーバが斜め前方に傾いて描かれているところから、冷房運転時における冷気の吹出し案内を説明しているものと推測できる。
【０００９】
同図では、上下風向ルーバが左右風向ルーバの上面にあり、換言すれば上下風向ルーバの下部側に左右風向ルーバが位置している。しかも、この状態で上下風向ルーバは下部側に凹状で、上部側に凸状に湾曲成されている。そのため、上下風向ルーバに案内される冷気のほとんどは水平方向に向かずに、下方である床面へ向ってしまう。
【００１０】
この種の室内機は壁掛け形であり、部屋の高所に取付けられるので、冷房運転時には可能な限り冷気を水平方向に案内し、居住者の足元には冷気を送らないことが望ましい。この点、特開２００６−３００４６０号公報の技術では冷気が居住者の足元に送られ易く、快適性に欠けたものとなってしまう。
【００１１】
さらに、複数枚の左右風向ルーバは連結ピンを介して連結杆に連結され、前記連結杆は吹出し口の前方となる左右風向ルーバの前端部に設けられる、ことが明記されている。すなわち、連結杆が設けられる位置は上下風向ルーバの前端部でもあるので、熱交換空気が通過する際の抵抗となり、乱流の要因となって円滑な流通が妨げられてしまう。
【００１２】
本発明は上記事情にもとづきなされたものであり、その目的とするところは、冷房運転時における水平吹出し案内と、暖房運転時における下方吹出し案内との切換えを確実に、かつ、効率よく行えて風向案内特性の向上を図れるとともに、円滑な流通を可能とした風向案内装置を備える空気調和機の室内機を提供しようとするものである。
【００１３】
上記目的を満足するため本発明の空気調和機の室内機は、吸込み口及び吹出し口が開口され、内部に吸込み口と吹出し口とを連通する通風路を備え、この通風路中に熱交換器及び送風機が配置され、吹出し口には風向案内装置が設置され、上記風向案内装置は、奥行き方向に対して左右幅方向が長い横長形状の平板からなり、回動駆動されることにより吹出し口から吹出される熱交換空気の上下方吹出し方向を制御する１枚の上下風向ルーバと、この上下風向ルーバに取付けられ回動駆動されることにより吹出し口から吹出される熱交換空気の左右吹出し方向を制御する複数枚の左右風向ルーバとを備え、左右風向ルーバは、奥行き方向の長さが、この奥行き方向とは直交する垂直方向の長さよりも長く形成されるとともに、上下風向ルーバの奥行き方向長さと同等もしくは、それ以上に形成され、上下風向ルーバを略水平姿勢とするとともに、この上下風向ルーバの上面側に左右風向ルーバを位置して水平吹出し案内をなし、上下風向ルーバを略垂直姿勢とするとともに、この上下風向ルーバの裏面側に左右風向ルーバを位置して下方吹出し案内をなすように構成される。
【図面の簡単な説明】
【００１４】
【図１】本発明における一実施の形態に係る空気調和機の室内機の概略縦断面図である。
【図２】同実施の形態に係る室内機の外観斜視図である。
【図３】同実施の形態に係る室内機の冷凍サイクル運転時における外観斜視図である。
【図４】同実施の形態に係る風向案内装置の一部を省略した平面図である。
【図５】同実施の形態に係る風向案内装置一部を拡大した斜視図である。
【図６】同実施の形態に係る風向案内装置一部をさらに拡大し作用を説明する図である。
【図７】同実施の形態に係る風向案内装置一部の分解した斜視図である。
【図８】同実施の形態に係る風向案内装置の駆動部を説明する図である。
【図９Ａ】同実施の形態に係る風向案内装置のズレ止め構造を説明する斜視図である。
【図９Ｂ】同実施の形態に係る風向案内装置のズレ止め構造を説明する断面図である。
【図１０Ａ】同実施の形態に係る冷房運転時における室内機の一部を示す断面図である。
【図１０Ｂ】同実施の形態に係る冷房運転時における風向案内装置の姿勢を説明する図である。
【図１１Ａ】同実施の形態に係る暖房運転時における室内機の一部を示す断面図である。
【図１１Ｂ】同実施の形態に係る暖房運転時における風向案内装置の姿勢を説明する図である。
【図１２Ａ】本発明における他の実施の形態に係る風向案内装置の作用を説明する図である。
【図１２Ｂ】本発明における他の実施の形態に係る風向案内装置の作用を説明する図である。
【図１２Ｃ】本発明における他の実施の形態に係る風向案内装置の作用を説明する図である。
【図１３】さらに他の実施の形態に係る風向案内装置の上下風向ルーバの構造を説明する図である。
【発明を実施するための最良の形態】
【００１５】
以下、本発明の実施の形態を、図面にもとづいて説明する。【００１６】
図１は冷凍サイクル運転の停止時における空気調和機の室内機を概略的に示す縦断面図、図２は同運転停止時における室内機の外観を示す斜視図、図３は冷凍サイクル運転時における室内機の外観を示す斜視図である。（なお、説明中に符号を付していない部品は図示していない。図示しても符号を付していない部品もある。以下同じ。）
室内機本体１は、前側筐体を構成する前面パネル２と、後側筐体を構成する後本体３とからなり、上下方向に対して左右幅方向に横長状に形成される。室内機本体１の前面側一部に前面吸込み口４が開口され、前面吸込み口４に対向する前面パネル２には開閉駆動機構に支持される可動パネル２Ａが嵌め込まれている。【００１７】
図１は冷凍サイクル運転の停止時を示していて、可動パネル２Ａは前面パネル２と同一面となって前面吸込み口４を閉塞し、室内機本体１の外観の一部を構成する。冷凍サイクル運転が開始されると、上記パネル開閉機構が作動し、上記可動パネル２Ａは前面吸込み口４から離間して前面側へ突出移動する。【００１８】
したがって、可動パネル２Ａの周囲に室内と連通する隙間が生じ、前面吸込み口４を室内に対して開放できる。室内機本体１の上部には上面吸込み口５が開口されていて、この上面吸込み口５には複数の空間部に仕切る枠状の桟が嵌め込まれる。【００１９】
上記室内機本体１の前面下部には吹出し口６が開口され、この吹出し口６には後述する風向案内装置Ｆが設けられる。前記風向案内装置Ｆは、回動姿勢によって上記吹出し口６を開閉し、かつ、冷凍サイクル運転条件に応じて熱交換空気の吹出し方向を設定できるようになっている。【００２０】
室内機本体１内には、前側熱交換器部８Ａと後側熱交換器部８Ｂとで略逆Ｖ字状に形成される熱交換器８が配置される。前側熱交換器部８Ａは、前面吸込み口４全体及び上面吸込み口５一部と対向するよう湾曲状に形成され、後側熱交換器部８Ｂは、直状で斜めに傾斜し上面吸込み口５一部と対向している。【００２１】
熱交換器８の前後側熱交換器部８Ａ，８Ｂ相互間に、室内送風機１０が配置される。室内送風機１０は、室内機本体１の一側端のスペースに配置されたファンモータと、このファンモータの回転軸に連結される横流ファンとから構成される。横流ファンの軸方向長さは熱交換器８の幅方向長さと同一に設定され、互いに正しく対向するように配置される。【００２２】
前側熱交換器部８Ａの下端部は前ドレンパン１２ａ上に載り、後側熱交換器部８Ｂの下端部は後ドレンパン１２ｂ上に載る。前、後ドレンパン１２ａ，１２ｂは、それぞれ室内機本体１を構成する後本体３に一体に成形され、熱交換器部８Ａ，８Ｂから滴下するドレン水を受けて図示しない排水ホースを介し屋外へ排水できるようになっている。【００２３】
前後ドレンパン１２ａ，１２ｂの一部側壁外面は室内送風機１０に近接して設けられ、これらで室内送風機１０の横流ファンに対するノーズを構成している。ノーズとなる前後ドレンパン１２ａ，１２ｂの側壁部分と吹出し口６の各辺部との間は、隔壁部材１４によって連結される。【００２４】
前記室内送風機１０を駆動することにより、隔壁部材１４で囲まれる空間が、ノーズと吹出し口６とを連通する吹出し通風路１５Ａとなる。これに対して、前記前面吸込み口４及び上面吸込み口５から熱交換器８に至る間に、吸込み通風路１５Ｂが形成されることになる。【００２５】
一方、前面パネル２の上面に設けられる上面吸込み口５と熱交換器８の上端部との間に亘って、上部枠体組立１６が介在される。上部枠体組立１６の前端部に沿って、エアフィルタ清掃ユニットＳが取付けられ、前端部を除く部位全体に亘って上面エアフィルタ１７が移動自在に支持される。【００２６】
エアフィルタ清掃ユニットＳは、上面エアフィルタ１７と、前面エアフィルタ１８を交互に通過させ、これらに接触して付着している塵埃を除去し清掃する作用をなすためのものである。除去した塵埃は、一旦、室内機本体１側部に設けられる排気ユニットに導かれ、ここから屋外へ排出されるようになっている。【００２７】
前面エアフィルタ１８と前側熱交換器部８Ａとの間の吸込み通風路１５Ｂ中に、イオン発生器Ｍが設けられる。このイオン発生器Ｍは、イオン発生電極２０とアース電極である対向電極２１を備えていて、これらイオン発生電極２０及び対向電極２１がケース体２２に取付けられることで構成される。【００２８】
上記イオン発生器Ｍは、室内機を構成する部品と、吸込み通風路１５Ｂに導かれる室内空気に対してマイナスイオンを発生し、室内機構成部品に付着する雑菌類と、室内空気に含まれる雑菌類を殺菌して清浄化する。そして、清浄化にともない脱臭作用も得られることとなる。【００２９】
次に、上記風向案内装置Ｆについて詳述する。図４は風向案内装置Ｆの一部（中央部）を省略し両側部の構成のみを示す平面図、図５は風向案内装置Ｆの一側部を拡大して示す斜視図、図６は風向案内装置Ｆの一側部の組立構造を説明する斜視図、図７は風向案内装置Ｆの一側部を分解して示す斜視図、図８は風向案内装置Ｆの駆動構造を説明する図である。【００３０】
上記風向案内装置Ｆは、１枚の上下風向ルーバ７Ａと、複数枚の左右風向ルーバ７Ｂと、上下風向ルーバ７Ａを駆動する駆動源３０Ａ及び駆動機構３１Ａと、左右風向ルーバ７Ｂを駆動する駆動源３０Ｂ及び駆動機構３１Ｂとから構成される。【００３１】
特に図示していないが、ここでは上下風向ルーバ７Ａの中間部分を境にして左右対称に左右風向ルーバ７Ｂが複数枚ずつ設けられている。すなわち、１枚の上下風向ルーバ７Ａに対して、この中間部から左右に、１組が複数枚で、２組の左右風向ルーバ７Ｂが分かれて設けられる。【００３２】
なお、この構成は必ずしも限定されるものではなく、１枚の上下風向ルーバ７Ａの全長に亘って、複数枚で１組の左右風向ルーバ７Ｂを取付けてもよい。ただし、駆動源３０Ｂとしては駆動力が、より大なるものを使用しなければならず、さらにそのうえ、駆動源の据付けスペースを確保するために室内機本体１の小型化が妨げられてしまう。【００３３】
図４に示すように、各組の左右風向ルーバ７Ｂを駆動するための駆動源（以下、「左右風向ルーバ用駆動モータ」と呼ぶ）３０Ｂと、駆動機構（以下、「左右風向ルーバ用駆動機構」と呼ぶ）３１Ｂが、上下風向ルーバ７Ａの左右両側部に設けられる。【００３４】
また、上下風向ルーバ７Ａを駆動するための駆動源（以下、「上下風向ルーバ用駆動モータ」と呼ぶ）３０Ａと、駆動機構（以下、「上下風向ルーバ用駆動機構」と呼ぶ）３１Ａが、上下風向ルーバ７Ａの左側部にのみ設けられる。【００３５】
すなわち、上下風向ルーバ７Ａの左側部には、上下風向ルーバ用駆動モータ３０Ａ及び上下風向ルーバ用駆動機構３１Ａと、左右風向ルーバ用駆動モータ３０Ｂ及び左右風向ルーバ用駆動機構３１Ｂの一部が互いに近接した位置に取付けられる。これらルーバ用駆動モータ３０Ａ，３０Ｂが取付けられる部位は、上記吹出し口６の左側部である。【００３６】
上下風向ルーバ７Ａの右側部には、左右風向ルーバ用駆動モータ３０Ｂ及び左右風向ルーバ用駆動機構３１Ｂのみが取付けられる。このルーバ用駆動モータ３０Ｂが取付けられる部位は、上記吹出し口６の右側部である。【００３７】
いずれのルーバ用駆動モータ３０Ａ，３０Ｂも制御部Ｒと電気的に接続されていて、この制御部Ｒから送られる信号を受けて、正回転駆動もしくは逆回転駆動され、あるいは駆動停止信号を受けるように制御される。【００３８】
さらに制御部Ｒは、特に図示していないが前面吸込み口４、上面吸込み口５、熱交換器８、吸込み通風路１５Ｂ、吹出し通風路１５Ａ他に取付けられる温度センサや湿度センサから検知信号を受けて演算し、室外機に配置される圧縮機、室外送風機、上記室内送風機１０、イオン発生器Ｍ、エアフィルタ清掃ユニットＳ等へ制御信号を送る。【００３９】
つぎに、図４の左側部に示す上下風向ルーバ用駆動モータ３０Ａに連結される上下風向ルーバ用駆動機構３１Ａと、左右風向ルーバ用駆動モータ３０Ｂに連結される左右風向ルーバ用駆動機構３１Ｂについて詳細に説明する。  
上下風向ルーバ用駆動モータ３０Ａの回転軸には、上下風向ルーバ用駆動ギヤ３２が嵌着されている。また、左右風向ルーバ用駆動モータ３０Ｂの回転軸には、左右風向ルーバ用駆動ギヤ３３が嵌着されている。【００４０】
図５及び図８図に拡大して示すように、左右風向ルーバ用駆動ギヤ３３は駆動棒３４の一端部に設けられるラック部３５に噛合する。すなわち、左右風向ルーバ用駆動ギヤ３３がピニオンギヤを構成してラック部３５に噛合し、駆動モータ３０Ｂの駆動方向に応じて駆動棒３４を軸方向に沿って進退移動できるようになっている。【００４１】
上記駆動棒３４には、上記ラック部３５の一側端と隣接して、ラック部３５の直径よりも大なる直径の鍔部３６が設けられ、この軸方向に沿ってスライド軸部３７が設けられる。前記スライド軸部３７の鍔部３６寄りの部位には複数の突条３８が、周方向に所定間隔を存し、かつ、軸方向に沿って設けられる。【００４２】
さらに、前記スライド軸部３７には角軸部４０と、掛合軸部４１が一体に連設される。前記角軸部４０は、断面が非円形である、たとえば六角状をなす。前記掛合軸部４１は、角軸部４０の直径よりも細径で断面が円形の軸部であり、この一部周面に沿って溝部４２を有するとともに、先端はテーパー状に形成される。【００４３】
前記駆動棒３４のスライド軸部３７に、駆動軸４３が嵌め合わされる。この駆動軸４３には前記駆動棒３４におけるスライド軸部３７の角軸部４０に嵌め合わされる断面六角形状の孔部を備えている。したがって、駆動軸４３と駆動棒３４は、互いに軸方向に沿ってスライド自在であるとともに、互いに一体に回転自在である。【００４４】
前記駆動軸４３の外周面一部には、上下風向ルーバ用駆動ギヤ３２と噛合するギヤ部４４が設けられる。上下風向ルーバ用駆動モータ３０Ａは前記部位に取付け固定され、この回転軸に嵌着される上下風向ルーバ用駆動ギヤ３２の軸方向位置も固定である。したがって、上下風向ルーバ用駆動ギヤ３２に噛合されるギヤ部４４を備えた駆動軸４３の軸方向位置も固定である。【００４５】
上下風向ルーバ用駆動モータ３０Ａが駆動されると、上下風向ルーバ用駆動ギヤ３２とギヤ部４４を介して駆動軸４３が回転駆動され、この駆動軸４３に嵌め合わされる駆動棒３４も回転駆動される。ただし、左右風向ルーバ用駆動モータ３０Ｂが駆動されない限り、駆動棒３４はその位置を保持して回転するのみである。【００４６】
前記駆動軸４３には、前記ギヤ部４４の軸方向に沿って外形断面が真円状の軸部４５と、外形断面が六角状の外角軸４６が設けられる。すなわち、駆動軸４３の内径に沿って孔部が設けられ、外形に沿ってギヤ部４４と、軸部４５及び外角軸４６が軸方向に沿って連設される。【００４７】
再び図４に示すように、上下風向ルーバ７Ａの右側部に配置される左右風向ルーバ用駆動モータ３０Ｂの回転軸に、左右風向ルーバ用駆動ギヤ３３が嵌着され、先に説明したのと同一構成の駆動棒３４のラック部３５が掛合する。【００４８】
前記駆動棒３４にはラック部３５とスライド軸部３７が連設され、このスライド軸部３７は単なる丸棒状の軸でよいが、先端をテーパー状となすとともに、上記溝部４２と同様の溝部を備える必要がある。【００４９】
特に図７に示すように、上下風向ルーバ７Ａは、左右幅方向（以下、「Ｘ方向」と呼ぶ）に長く、奥行き方向（以下、「Ｙ方向」と呼ぶ）に短い、横長形状の平板からなる。上下風向ルーバ７ＡのＸ方向の長さは吹出し口６の左右幅方向の長さに一致し、ルーバ７ＡのＹ方向の長さは吹出し口６の縦方向の長さに一致する。したがって、上下風向ルーバ７Ａは吹出し口６を開閉可能な寸法形状をなす。【００５０】
上下風向ルーバ７Ａは、図１に示す冷凍サイクル運転停止時の状態で、上面が凹状で、下面が凸状になるよう、Ｙ方向に沿って湾曲成されている。上下風向ルーバ７Ａの上面で、Ｘ方向の両側端部であり、Ｙ方向の中間部位に、略三角状の支持用リブ４８が一体に立設されている。【００５１】
前記支持用リブ４８の頂部には六角孔からなる枢支用孔４９が設けられ、基端部には孔部が設けられる。前記枢支用孔４９の形状寸法は、上記駆動軸４３に設けられる外角軸４６の外形の形状寸法と略一致する。したがって、支持用リブ４８の枢支用孔４９に駆動軸４３の外角軸４６が嵌着できる。【００５２】
図４にのみ図示しているが、上下風向ルーバ７Ａの右側部上面にも支持用リブ４８が設けられていて、ここには上記駆動棒３４のスライド軸部３７の直径寸法よりもわずかに大なる孔径の枢支用孔が設けられる。すなわち、支持用リブ４８の枢支用孔に駆動棒３４のスライド軸部３７がスライド自在に挿通される。【００５３】
上下風向ルーバ７Ａの上面の、Ｙ方向の中間位置から前後に振り分けられた位置で、かつ、Ｘ方向に所定間隔を存して複数の位置決め用突起５０が一体に設けられる。これら位置決め用突起５０は前記支持用リブ４８の枢支用孔４９を中心として、Ｙ方向に振り分けて設けられることになる。【００５４】
上記左右風向ルーバ７Ｂは、Ｙ方向の長さが、このＹ方向に沿う面部とは直交する垂直方向（以下、「Ｚ方向」と呼ぶ）の長さよりも長く形成されている。そして、左右風向ルーバ７ＢのＹ方向の長さが、上下風向ルーバ７ＡのＹ方向長さと同等もしくは、それ以上に形成される。【００５５】
左右風向ルーバ７ＢはＹ方向に沿う上端で、かつ、両側部がＲ状に形成される。このＲ状の一方側部には複数（ここでは３条）の案内用突条５１が、Ｚ方向に所定間隔を存し、Ｙ方向の端縁からＹ方向の略中間部に亘って一体に設けられる。それぞれの案内用突条５１は、流線状をなす。【００５６】
左右風向ルーバ７Ｂの下端は、略中間部が凹状に形成され、この凹状部に掛合用突起５３と調節用突起５４が、互いに離間した位置に一体に設けられる。【００５７】
前記掛合用突起５３は、後述する連結杆５５に所定間隔を存して設けられる孔部５６に掛合される。前記連結杆５５は、複数枚の左右風向ルーバ７Ｂに亘り対向して設けられる杆状体であり、複数枚の左右風向ルーバ７Ｂと１本の連結杆５５は互いに掛合用突起５３と孔部５６を介して回動自在に連結される。【００５８】
先に説明したように、上下風向ルーバ７ＡのＸ方向の略中間部を境に、左右に２組の左右風向ルーバ７Ｂが備えられるところから、前記連結杆５５も上下風向ルーバ７Ａに対して左右に２本備えられる。【００５９】
左右風向ルーバ７Ｂにおける前記調節用突起５４には、後述する左右風向ルーバ調節具５８に所定間隔を存して設けられる孔部５９が掛合さる。したがって、左右風向ルーバ７Ｂと左右風向ルーバ調節具５８とは互いに、調節用突起５４と孔部５９を介して回動自在に連結される。【００６０】
前記左右風向ルーバ調節具５８は１枚の板体からなり、Ｘ方向の長さは上下風向ルーバ７Ａの左右両側端に設けられる上記支持用リブ４８の相互間寸法に一致する。左右風向ルーバ調節具５８の両側部には突起６０が一体に設けられ、支持用リブ４８の孔部に掛脱自在である。【００６１】
左右風向ルーバ調節具５８のＸ方向に沿う側端部には所定間隔を存して複数の切欠き６１が設けられる。切欠き６１のＹ方向間隔は、上下風向ルーバ７Ａにおける位置決め用突起５０のＹ方向間隔と略一致し、切欠き６１の位置と長さは位置決め用突起５０に嵌り合う寸法形状をなす。【００６２】
実際の組立にあたって、複数枚の左右風向ルーバ７Ｂそれぞれの掛合用突起５３を、連結杆５５の孔部５６に掛合して、これら左右風向ルーバ７Ｂと連結杆５５との連結をなす。さらに、左右風向ルーバ７Ｂそれぞれの調節用突起５４を左右風向ルーバ調節具５８の孔部５９に掛合して、左右風向ルーバ調節具５８と、複数枚の左右風向ルーバ７Ｂ及び連結杆５５を一体化する。【００６３】
左右風向ルーバ調節具５８と、左右風向ルーバ７Ｂと、連結杆５５との一体物を、上下風向ルーバ７Ａ両側部の支持用リブ４８相互間に対向し、左右風向ルーバ調節具５８両側端の突起６０を、支持用リブ４８の孔部に掛合する。【００６４】
この状態で、左右風向ルーバ調節具５８の切欠き６１が、上下風向ルーバ７Ａの位置決め用突起５０に掛合する。したがって、上下風向ルーバ７Ａに、左右風向ルーバ７Ｂと、左右風向ルーバ調節具５８及び連結杆５５が取付けられた一体物が構成されることになる。【００６５】
前記左右風向ルーバ調節具５８のＸ方向の両側部には、後述する連結固定具６３がＸ方向に移動自在に嵌め込まれる。この連結固定具６３は、左右風向ルーバ調節具５８の下面においてＸ方向に延出する杆部ａを備えている。すなわち、前記連結固定具６３の杆部ａは左右風向ルーバ調節具５８に遮蔽され、図４及び図５の組立状態では露出しない。【００６６】
連結固定具６３を構成する杆部ａの一側端に駆動棒連結部６４が設けられ、他側端に連結杆掛合部６５が設けられていて、これら駆動棒連結部６４と連結杆掛合部６５が左右風向ルーバ調節具５８の上面に露出する。【００６７】
前記駆動棒連結部６４は、半円状の受け孔ｂを備えた受け部６６と、この受け部６６にヒンジを介して回動自在に取付けられる押え部６７とからなる。前記押え部６７には受け部６６に対して掛脱自在なフック部が設けられているとともに、前記受け孔ｂと同一曲率半径の半円状の押え孔ｃが設けられる。【００６８】
前記フック部を介して押え部６７を受け部６６に掛合固定した状態で、押え孔ｃと受け孔ｂは真円状となり、上記駆動棒３４の先端に形成される掛合軸部４１の直径と同一直径の孔部となる。また、押え部６７の押え孔ｃにはロック爪ｄが突設されていて、このロック爪ｄは掛合軸部４１の溝部４２に掛脱自在な突出量と突出幅に形成されている。  
前記連結杆掛合部６５にはＹ方向に長い長孔ｅが設けられていて、この長孔ｅには連結杆５５の一側部下面に設けられる連結突起６８が掛合される。【００６９】
さらに実際の組立にあたって、左側部の左右風向ルーバ用駆動モータ３０Ｂを駆動し、左右風向ルーバ用駆動ギヤ３３と駆動棒３４のラック部３５を介して、駆動棒３４を後退移動させる。駆動棒３４の掛合軸部４１先端が駆動軸４３の外角軸４６先端と略同一位置まで移動したら停止する。【００７０】
右側部の左右風向ルーバ用駆動モータ３０Ｂにおいては、駆動棒３４が支持用リブ４８から抜け出ない程度に最大限後退させたあと停止する。つぎに、左右風向ルーバ７Ｂ他を一体化した上下風向ルーバ７Ａを持ち、この左側部に設けられる支持用リブ４８を駆動棒３４と駆動軸４３に対向させ、枢支用孔４９を駆動軸４３の外角軸４６に嵌め込む。【００７１】
そして、ある程度、上下風向ルーバ７Ａの中間部分を撓ませて、右側部に設けられる支持用リブ４８の枢支用孔を駆動棒３４のスライド軸部３７先端に挿入する。いずれにしても、左右風向ルーバ調節具５８の左右両側部それぞれの連結固定具６３における押え部６７を受け部６６に対して開放しておく。【００７２】
この状態から左右両側の左右風向ルーバ駆動用モータ３０Ｂを逆回転駆動して、駆動棒３４先端の掛合軸部４１が支持用リブ４８から突出する方向にスライド付勢する。図６に示すように、掛合軸部４１先端が連結固定具６３の受け部６６に設けられる受け孔ｃに挿入したところで、左右風向ルーバ駆動用モータ３０Ｂを停止する。【００７３】
左右両側部の掛合軸部４１を連結固定具６３の受け部６６に挿入したあと、それぞれの連結固定具６３の押え部６７を回動して受け部６６に合せ、フック部で固定する。押え部６７に設けられるロック爪ｄは掛合軸部４１の溝部４２に挿入し、掛合状態となる。したがって、駆動棒３４と連結固定具６３は軸方向であるＸ方向にスライド自在に連結され、連結固定具６３に対して駆動棒３４は空回転自在となる。【００７４】
両側部の駆動棒３４と連結固定具６３との連結固定を上述のようになすことで、上下風向ルーバ７Ａと左右風向ルーバ７Ｂの一体物を一側部の上下風向ルーバ用駆動モータ３０と、左右両側部の左右風向ルーバ用駆動モータ３０Ｂとにそれぞれの駆動機構３１Ａ，３１Ｂを介して連結できる。【００７５】
すなわち、上下風向ルーバ用駆動機構３１Ａとして、ギヤ部４４を備えた駆動軸４３から構成される。左右風向ルーバ用駆動機構３１Ｂとして、駆動棒３４と、連結固定具６３と、連結杆５５及び左右風向ルーバ調節具５８から構成される。  
特に、左右風向ルーバ用駆動機構３１Ｂを構成する連結固定具６３と連結杆５５及び左右風向ルーバ調節具５８等、ほとんどの部品は、上下風向ルーバ７ＡのＹ方向の中間部に取付けられることになる。【００７６】
図９Ａは上下風向ルーバ７Ａに左右風向ルーバ７Ｂを取付けた状態での、これらのＸ方向の中間部分を示す斜視図であり、図９Ｂは同部位の断面図である。  
上下風向ルーバ７ＡのＸ方向の中間部には、支軸ｆを備えた中間支持用リブ７０が設けられ、左右風向ルーバ調節具５８には前記中間支持用リブ７０を突出させるための切欠きが設けられる。中間支持用リブ７０の支軸ｆは、室内機本体１の上記隔壁部材１４上面部に一体に突設される支持片部７１の孔部ｇに挿入される。【００７７】
さらに、上下風向ルーバ７Ａの中間部分にはズレ止め用爪部７２が一体に設けられていて、左右風向ルーバ調節具５８には前記ズレ止め用爪部７２が突出する切欠きが設けられる。ズレ止め用爪部７２は上記支持片部７１の下端縁に弾性的に当接して、中間支持用リブ７０の支軸部ｆと支持片部７１の孔部ｇとの掛合にガタが生じないように付勢する。【００７８】
すなわち、上下風向ルーバ７Ａは左右風向ルーバ７Ｂ等が一体に組み込まれた状態で、この中間部分が支持片部７１を介して室内機本体１に支持される。上下風向ルーバ７ＡはＹ方向に短くＸ方向に長い横長状に形成される平板状であるうえに、左右風向ルーバ調節具５８と連結杆５５等が連結される左右風向ルーバ７Ｂが一体に取付けられている。【００７９】
上下風向ルーバ７Ａの左右両側部は支持用リブ４８を介して駆動棒３４に支持され、駆動棒３４は左右風向ルーバ用駆動ギヤ３３と左右風向ルーバ駆動用モータ３０Ｂを介して室内機本体１に支持される。したがって、そのままでは上下風向ルーバ７Ａの長手方向（Ｘ方向）の中間部分に荷重負荷がかかって湾曲変形する虞れがある。【００８０】
そこで、上下風向ルーバ７Ａの中間部に中間支持用リブ７０を設けて、室内機本体１の支持片部７１に支持することで、上下風向ルーバ７Ａ中間部の湾曲変形を防止できる。しかも、上下風向ルーバ７Ａにズレ止め用爪部７２を設けて支持片部７１に弾性的に当接するので、中間支持用リブ７０と支持片部７１とのガタを防止できる。【００８１】
さらに、後述するように風向案内装置Ｆが吹出し口６から熱交換空気を吹出案内する際に、複数枚の左右風向ルーバ７Ｂが上下風向ルーバ７Ａの上で一斉に回動駆動される。このことにより、上下風向ルーバ７ＡのＸ方向の位置ズレが生じ易いが、上述した位置ズレ規制構造の採用により上下風向ルーバ７Ａの位置ズレを規制できる。【００８２】
つぎに、このようにして構成される空気調和機の室内機における作用について説明する。  
使用者がリモコン（遠隔操作盤）の運転ボタンを押圧操作すると、室内送風機１０が駆動されるとともに、イオン発生器Ｍに通電される。さらに、室内機と冷媒管を介して連通する室外機において圧縮機が駆動され、冷凍サイクル運転が開始される。【００８３】
室内空気は前面吸込み口４及び上面吸込み口５から室内機本体１内に吸込まれ、吸込み通風路１５Ｂに沿って導かれて、前面エアフィルタ１８及び上面エアフィルタ１７を通過する。このとき、室内空気中に含まれる塵埃が前面エアフィルタ１８及び上面エアフィルタ１７に捕捉される。【００８４】
前面エアフィルタ１８と上面エアフィルタ１７により塵埃が除去された室内空気は、イオン発生器Ｍの作用により殺菌され脱臭される。同時に、イオン発生器Ｍは室内機構成部品の殺菌も行う。清浄化した室内空気は熱交換器８を流通し、ここに導かれる冷媒と熱交換作用が行われて熱交換空気となる。【００８５】
そのあと、熱交換空気は吹出し通風路１５Ａに沿って導かれ、吹出し口６から室内へ吹出される。このとき、後述するように風向案内装置Ｆに吹出し案内されて、効率のよい空調運転を継続する。【００８６】
長時間、冷凍サイクル運転を継続すると前面エアフィルタ１８と上面エアフィルタ１７に捕捉され、付着している塵埃の量が増えて空気流通の抵抗となる。そこで、定期的にエアフィルタ清掃ユニットＳを作動させて、各エアフィルタ１８，１７に付着している塵埃を除去し屋外へ排出する。【００８７】
なお、冷房運転時と、暖房運転時では、後述するように風向案内装置Ｆの姿勢を変化調整する。【００８８】
図１０Ａは冷房運転時での室内機一部の断面図、図１０Ｂは同冷房運転時における風向案内装置Ｆの姿勢を説明する図である。図１１Ａは暖房運転時での室内機一部の断面図、図１１Ｂは同暖房運転時における風向案内装置Ｆの姿勢を説明する図である。【００８９】
はじめに冷房運転時における風向案内装置Ｆの姿勢について説明する。【００９０】
冷房運転開始の信号が制御部Ｒに入ると、制御部Ｒは直ちに上下風向ルーバ用駆動モータ３０Ａへ駆動信号を送る。上下風向ルーバ用駆動ギヤ３２が回転駆動され、この駆動ギヤ３２と噛合するギヤ部４４を備えた駆動軸４３が回転駆動される。【００９１】
駆動軸４３の外角軸４６に、上下風向ルーバ７Ａ左側部の支持用リブ４８における枢支用孔４９が掛合するところから、上下風向ルーバ７Ａは支持用リブ４８の枢支用孔４９を回動中心として回動駆動される。【００９２】
上述したように、左右風向ルーバ用駆動機構３１Ｂを構成する駆動棒３４は、上下風向ルーバ７Ａの回動中心となす支持用リブ４８の枢支用孔４９の中心を通る。駆動軸４３とともに駆動棒３４が回転駆動されるが、連結固定具６３に設けられるロック爪ｄに対して駆動棒３４に設けられる溝部４２が空回りする。【００９３】
したがって、駆動棒３４と連結固定具６３のスライド移動はない。左側部の連結固定具６３に連結される連結杆５５の移動は無いので、この連結杆５５に連結される全ての左右風向ルーバ７Ｂはその姿勢が固定される。【００９４】
一方、上下風向ルーバ７Ａ右側部の支持用リブ４８では、丸孔からなる枢支用孔が駆動棒３４のスライド軸部３７に対して回動する。ここでも左右風向ルーバ用駆動機構３１Ｂを構成する駆動棒３４は、上下風向ルーバ７Ａの回動中心となす支持用リブ４８の枢支用孔の中心を通る。【００９５】
ただし、右側部の左右風向ルーバ用駆動モータ３０Ｂが停止しているので、駆動棒３４と連結固定具６３のスライド移動はなく、駆動棒３４の溝部４２と連結固定具６３のロック爪ｄが空回りするのみである。右側部の連結固定具６３に連結される連結杆５５の移動がないから、右側部における全ての左右風向ルーバ７Ｂの姿勢が固定される。【００９６】
図１０Ａ，図１０Ｂに示すように、上下風向ルーバ７Ａが吹出し通風路１５Ａに沿うよう斜め姿勢になったところで、制御部Ｒは上下風向ルーバ用駆動モータ３０Ａの回転を停止制御する。支持用リブ４８は上下風向ルーバ７Ａの上面側に位置し、かつ、駆動軸４３等を介して支持される左右風向ルーバ７Ｂも上下風向ルーバ７Ａの上面側に位置する。【００９７】
制御部Ｒは冷房用冷凍サイクル運転の開始制御をなすとともに、左右風向ルーバ用駆動モータ３０Ｂを正逆回転駆動するよう制御する。冷凍サイクル作用が行われる一方で、左右風向ルーバ用駆動ギヤ３３が回転駆動され、ラック部３５を備えた駆動棒３４は軸方向にスライド付勢される。【００９８】
駆動棒３４に一体に連結される連結固定具６３がスライド付勢され、連結固定具６３の連結杆掛合部６５に掛合する連結突起６８を備えた連結杆５５が同方向にスライド付勢される。  
左右風向ルーバ７Ｂは、左右風向ルーバ調節具５８の孔部５９に掛合する調節用突起５４を支点とし、連結杆５５の孔部５６に掛合する掛合用突起５３を作動点として、連結杆５５の移動にともない一体に回動付勢される。【００９９】
すなわち、連結固定具６３の移動により連結杆５５を介して複数の左右風向ルーバ７Ｂが一斉に同方向に回動する。左右風向ルーバ用駆動モータ３０Ｂは所定時間、所定方向に回転駆動したあと、反所定方向に所定時間は回転駆動するよう制御される。【０１００】
連結固定具６３と連結杆５５は所定時間ずつ往復駆動され、これにともない複数枚の左右風向ルーバ７Ｂは一斉に所定方向と反所定方向に回動駆動される、いわゆる首振り運動をなす。冷凍サイクル運転にともなって吹出し口６から吹出される冷気は、左右方向に案内されて室内の隅々に到達する。【０１０１】
左右風向ルーバ７Ｂの側端部に設けられている複数条の案内用突条５１は、流線状をなしているところから、冷気を左右風向ルーバ７Ｂの案内用突条５１に沿って円滑に導くこととなり、送風効率の向上を得られる。【０１０２】
しかも、上下風向ルーバ７Ａは左右風向ルーバ７Ｂに向って凹状に湾曲成されている。吹出し口６から吹出される冷気は上下風向ルーバ７Ａにより斜め前方に案内されるとともに、上下風向ルーバ７Ａの凹状姿勢に沿って導かれる。冷気は図に矢印で示すように、上下風向ルーバ７Ａによって斜め上方に持ち上げられる。【０１０３】
結果として、湾曲成される上下風向ルーバ７Ａは吹出し気流の中心よりも下方側に位置することとなり、風の剥離がなくなり、水平方向へ効率よく気流を曲げることができる。冷気はより遠くへ、より上方へ導かれ、室内の床面から離間して居住人の足元を直接冷やすことが無い。風向案内装置Ｆを備えたことによって、快適な冷房空調を得られる。【０１０４】
このとき上下風向ルーバ用駆動モータ３０Ａを停止して、上下風向ルーバ用駆動ギヤ３２を介して噛合される駆動軸４３を、駆動棒３４のスライド移動に影響されずに固定状態を保持してもよい。あるいは、上下風向ルーバ用駆動モータ３０Ａを正逆回転駆動して、上下風向ルーバ７Ａを所定の角度範囲で上下に揺動駆動するようにしてもよい。【０１０５】
上下風向ルーバ用駆動機構３１Ａを構成する駆動軸４３は、上下風向ルーバ７Ａに設けられる支持用リブ４８の枢支用孔４９に嵌着され、上下風向ルーバ用駆動モータ３０Ａの駆動により支持用リブ４８及び上下風向ルーバ７Ａを回動変位する。【０１０６】
この駆動軸４３の中心軸に断面六角状の孔部を備えて、外形断面を六角状とする角軸部４０を備えた駆動棒３４が軸方向に沿って進退自在に嵌め合わされる。駆動棒３４が駆動軸４３と同期して回転するために、上下風向ルーバ７Ａを回動駆動してもロス無く左右風向ルーバ７Ｂに動力を伝達できる。【０１０７】
暖房運転モードを選択すると制御部Ｒは、上下風向ルーバ用駆動モータ３０Ａを制御して、上下風向ルーバ用駆動ギヤ３２を回転させ、駆動軸４３を介して上下風向ルーバ７Ａを図１１Ａ，図１１Ｂに示すような略垂直姿勢にする。したがって、左右風向ルーバ７Ｂは上下風向ルーバ７Ａの裏面側に位置する。【０１０８】
この姿勢を保持したまま暖房の冷凍サイクル運転をなすとともに、左右風向ルーバ用駆動モータ３０Ｂを正逆回転駆動するよう制御する。このとき上下風向ルーバ用駆動モータ３０Ａにも通電して、上下風向ルーバ７Ａを所定の角度範囲内で首振り運動するようにしてもよい。【０１０９】
左右風向ルーバ用駆動モータ３０の駆動にともない、上述したように左右風向ルーバ７Ｂはいわゆる首振り運動をなし、吹出し口６から吹出される暖気を室内の隅々まで案内する。左右風向ルーバ７Ｂに設けられる案内用突条５１は暖気を円滑に案内し、送風効率の向上を得る。【０１１０】
しかも、上下風向ルーバ７Ａは左右風向ルーバ７Ｂに向って凹状に湾曲成されている。吹出し口６から吹出される暖気は図に矢印で示すように、上下風向ルーバ７Ａによって下方へ吹出し案内されるとともに、上下風向ルーバ７Ａの凹状姿勢に沿い下方へ導かれる。【０１１１】
結果として、吹出し気流の中心よりも上方側に上下風向ルーバ７Ａが位置するために風の剥離がなくなり、下方向へ効率よく気流を曲げることができる。暖気は室内機から室内の床面へ案内され、居住人の足元を暖める。上記風向案内装置Ｆを備えたことによって、いわゆる頭寒足熱の快適な暖房空調を得られる。【０１１２】
このように、冷房運転時と暖房運転時では、上下風向ルーバ７Ａと左右風向ルーバ７Ｂとがほぼ反転する位置になり、これらの運転切換えにより左右風向ルーバ７Ｂの傾き姿勢が反対側に変化する。【０１１３】
そこで、運転モードの選択に応じて必要とする左右風向案内に対し、左右風向ルーバ７Ｂの風向角度を自動的に反転させるような制御を行うとよい。運転モード変更のたびに、左右風向を設定し直す必要がなくなり、操作が簡便化できる。【０１１４】
実際の風向案内装置Ｆでは、上下風向ルーバ７Ａと左右風向ルーバ７Ｂを同色に構成し、左右風向ルーバ用駆動機構３１Ｂを構成する左右風向ルーバ調節具５８や連結杆５５も同色に構成したので、見栄えがよく、左右風向ルーバ７Ｂが強調されてリモコン等での風向調整が容易にできる。【０１１５】
冷房運転時と暖房運転時のいずれにおいても、風向案内装置Ｆの構成上、上下風向ルーバ７ＡのＹ方向の略中間部に左右風向ルーバ調節具５８が取付けられ、ここに左右風向ルーバ７Ｂと連結杆５５及び連結固定具６３が備えられる。【０１１６】
すなわち、冷気と暖気である熱交換空気が風向案内装置Ｆを構成する上下風向ルーバ７Ａに沿って吹出し案内されるとき、この上下風向ルーバ７ＡのＹ方向の略中間部に、左右風向ルーバ７Ｂと左右風向ルーバ用駆動機構３１Ｂのほとんど大部分が設けられている。【０１１７】
したがって、冷房運転時と暖房運転時のいずれにも係りなく、左右風向ルーバ用駆動機構３１Ｂが熱交換空気の送風抵抗となることが少なく、乱流の要因を抑制して円滑な流通を可能とする。【０１１８】
メンテナンス時に、吹出し口６から上下風向ルーバ７Ａと左右風向ルーバ７Ｂを外すには、予め両側部の左右風向ルーバ駆動用モータ３０Ｂを所定方向に回転駆動して駆動棒３４をスライド移動し、図４に二点鎖線で示すように、左右の連結固定具６３を左右の支持用リブ４８に密着させた状態にして上記駆動用モータ３０Ｂを停止させる。【０１１９】
そのあと左右風向ルーバ調節具５８の長手方向（Ｘ方向）の略中間部を持って引き上げ撓ませれば、左右風向ルーバ調節具５８とともに左右風向ルーバ７Ｂと連結杆５５及び連結固定具６３が一体となって上下風向ルーバ７Ａから取外しでき、容易に必要なメンテナンスを行える。【０１２０】
また、左側部の支持用リブ４８においては駆動軸４３の外角軸４６先端から駆動棒３４先端を最大限引き込んだ状態とし、右側部の支持用リブ４８においては駆動棒３４先端を支持用リブ４８側面部から最大限引き込んだ状態にしておけば、上下風向ルーバ７Ａの支持用リブ４８を駆動棒３４先端から容易に取外しできる。【０１２１】
したがって、上下風向ルーバ７Ａに対しても必要なメンテナンスを行える。左右風向ルーバ７Ｂと上下風向ルーバ７Ａに対するメンテナンスを終了し、再び所定の部位に取付ける場合は、上述のように行えばよい。【０１２２】
左右風向ルーバ７Ｂに対するイニシャライズ（初期運転設定）時や、冷凍サイクル運転停止時においても、図４に二点鎖線で示すように、左側の連結杆５５に接続される左側グループの左右風向ルーバ７Ｂを左方向に傾けて連結固定具６３を左側の支持用リブ４８に接触させる。【０１２３】
同様に、右側の連結杆５５に接続される右側グループの左右風向ルーバ７Ｂを右方向に傾けて連結固定具６３を右側の支持用リブ４８に接触させる。これにより、運転開始時は常に、左右風向ルーバ７Ｂを決められた位置から移動することになり、左右風向ルーバ用駆動モータ３０Ｂのへ通電する駆動パルス数の数値を決められた数値とすることができ、運転開始時に、所定位置に戻してから駆動する初期運転を省略できる。【０１２４】
本発明においては、上下風向ルーバ７Ａと、左右風向ルーバ７Ｂとを一体に構成したため、通風路の前後に上下風向ルーバと左右風向ルーバを別個に配置した一般的な構成に比べて、室内機本体１の奥行き寸法が短くてすみ、室内機本体１の薄型化が図れる。【０１２５】
室内送風機１０から吹出し通風路１５Ａに沿って導かれる熱交換空気を吹出し口６までストレートに送ることができて、風速低下の抑制化を図れる。すなわち、同じ送風機１０の送風能力でありながら、熱交換空気を室内のより遠方まで送風案内でき、快適空調を得られる。【０１２６】
風向偏向部分である風向案内装置Ｆを吹出し口６に配置できるので、吹出し通風路１５Ａからストレートに送られてきた空気の室内左右方向への偏向幅が大きく取れ、左右方向に気流を確実に曲げられる。そのため、左右方向への送風量を大きくとることができ、左右送風角度の範囲を大幅に広げられる。【０１２７】
上下風向ルーバ７Ａ上に左右風向ルーバ７Ｂを搭載し、左右風向ルーバ７Ｂをアクチュエータにて駆動し、上下風向ルーバ７Ａは単一のアクチュエータで駆動する。左右風向ルーバ７Ｂを左右風向ルーバ７Ｂに対して鉛直方向で上部と下部との位置関係をとることができる。【０１２８】
このように、上下風向ルーバ７Ａと左右風向ルーバ７Ｂとの鉛直方向の上下関係が逆になるときに、左右風向ルーバ７Ｂの位置を左右逆方向に位置変更するように制御するため、上下方向を逆転した際、左右方向の風向が自動的に補正され、使用者が特に気にせずとも、希望の風向とすることができる。【０１２９】
図１２Ａ，図１２Ｂ，図１２Ｃは、変形例の風向案内装置Ｆａを示している。  
図１２Ａは可動パネル２Ａが前面吸込み口４を開放して示しているが、風向案内装置Ｆａが吹出し口６を閉塞する冷凍サイクル運転の停止時である。このとき、実際に吹出し口６を閉塞するのは上下風向ルーバ７Ａであり、この上下風向ルーバ７Ａと一体の左右風向ルーバ７Ｂは、上下風向ルーバ７Ａの裏側にあり室内から遮蔽される。【０１３０】
図１２Ｂは、冷房運転時での風向案内装置Ｆａを示している。冷凍サイクル運転停止時から上下風向ルーバ７Ａと左右風向ルーバ７Ｂを反時計回り方向に所定角度回動させ、上下風向ルーバ７Ａを略水平姿勢とし、この上下風向ルーバ７Ａの上面側に左右風向ルーバ７Ｂを位置させる。【０１３１】
このことにより、上下風向ルーバ７Ａの奥側端部が吹出し通風路１５Ａを構成する下面壁に近接して、ほとんど隙間が無い。左右風向ルーバ７Ｂは上下風向ルーバ７Ａの上面側に位置しているので、吹出し通風路１５Ａを導かれてきた冷気は、上下風向ルーバ７Ａの姿勢位置と形態及び、左右風向ルーバ７Ｂの位置と形態によって、効率よく水平吹出し案内される。【０１３２】
上述した通り、風向案内装置Ｆａは吹出し口６から吹出される冷気の水平吹出し案内をなして、より遠くへ、かつ、円滑に導いて快適な冷房空調が得られる。【０１３３】
図１２Ｃは、暖房運転時での風向案内装置Ｆａを示している。風向案内装置Ｆａは冷凍サイクル運転停止の位置から、反時計回り方向に回動駆動する。一旦、先に説明した冷房運転時の状態を経て、さらに同方向に回動を継続し、上下風向ルーバ７Ａの端部が吹出し通風路１５Ａの上面壁に当接する寸前位置で停止する。【０１３４】
上下風向ルーバ７Ａは冷房運転時における水平吹出し案内の際の奥側端部を先端部とし、先端部を奥側端部として反転する。しかも、ここでの奥側端部は吹出し通風路１５Ａの上面壁に近接して、ほとんど隙間が無く、暖気の通る余地がない。【０１３５】
左右風向ルーバ７Ｂは上下風向ルーバ７Ａの裏面側に位置しているので、吹出し通風路１５Ａに導かれてきた暖気は、上下風向ルーバ７Ａの姿勢位置と形態及び左右風向ルーバ７Ｂの位置と形態によって、下方吹出し案内が効率よく行われる。【０１３６】
したがって、上下風向ルーバ用駆動機構３１Ａを介して上下風向ルーバ７Ａを回動駆動する上下風向ルーバ用駆動モータ３０Ａは、冷房運転と暖房運転のいずれにおいても、運転停止の状態から所定の一方向に回転駆動すればよい。  
これらの運転が停止したら、冷房運転と暖房運転のいずれにおいても上下風向ルーバ用駆動モータ３０Ａを反方向に回転駆動して、上下風向ルーバ７Ａで吹出し口６を閉塞すればよく、制御が容易化する。【０１３７】
図１３は、上記風向案内装置Ｆを構成する上下風向ルーバ７Ａ１の変形例を示す概略の平面図である。  
上下風向ルーバ７Ａ１は奥行き方向に対して左右幅方向が長い横長形状をなすが、さらに左右幅方向の両側部ｈは、一側縁のみ漸次奥行き方向寸法が短くなるように形成されている。図に矢印で示す部位が風向案内装置Ｆの前方であるとすると、この装置Ｆの後方（背面側）の端縁が左右幅方向の両側部のみ短い。【０１３８】
また、上下風向ルーバ７Ａ１に一体に取付けられる左右風向ルーバ７Ｂは、上述したように上下風向ルーバ７Ａ１の左右幅方向の略中間部を境に、左右に２組備えられる。最も内側の左右風向ルーバ７Ｂａは、図４に二点鎖線で示すように平面視で逆ハの字状に向けられたとき、もしくはハの字状に向けられたときに互いの端部が当接しないように奥行き方向が短く形成される。【０１３９】
また、両外側部（ここでは各組２本）ｈに位置する左右風向ルーバ７Ｂは、上下風向ルーバ７Ａ１の形態により一端部が上下風向ルーバ７Ａ１から突出する。【０１４０】
すなわち、上下風向ルーバ７Ａ１は、中央部を奥行き方向により伸ばした形状としたので、暖房時には下吹き特性をさらに向上させるが、冷房時には、吹出し口６の左右周辺部の風量が中央部に比べ低下する。【０１４１】
しかしながら、上下風向ルーバ７Ａ１の左右部分は中央部より短いので、吹出し口６とルーバ７Ａ１上下間の隙間を大きく取れ、風の流通を妨げないので、冷気の滞留による吹出し口６周辺の温度低下による結露発生を抑えることができる。【０１４２】
さらに、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組合せにより種々の発明を形成できる。
【産業上の利用可能性】
【０１４３】
本発明によれば、冷房運転時における水平吹出し案内と、暖房運転時における下方吹出し案内との切換えを確実に、かつ、効率よく行えて風向案内特性の向上を図ることができる。
【図１】
2010021383.tif 000003
【図２】
2010021383.tif 000004
【図３】
2010021383.tif 000005
【図４】
2010021383.tif 000006
【図５】
2010021383.tif 000007
【図６】
2010021383.tif 000008
【図７】
2010021383.tif 000009
【図８】
2010021383.tif 000010
【図９Ａ】
2010021383.tif 000011
【図９Ｂ】
2010021383.tif 000012
【図１０Ａ】
2010021383.tif 000013
【図１０Ｂ】
2010021383.tif 000014
【図１１Ａ】
2010021383.tif 000015
【図１１Ｂ】
2010021383.tif 000016
【図１２Ａ】
2010021383.tif 000017
【図１２Ｂ】
2010021383.tif 000018
【図１２Ｃ】
2010021383.tif 000019
【図１３】
2010021383.tif 000020
【国際調査報告】
2010021383.tif 000021
2010021383.tif 000022
2010021383.tif 000023
2010021383.tif 000024